(57)【要約】【課題】現存の位置で軟部組織を固定し、かつ引上げ効果も上げられる、柔軟性の良い整形手術用の整形ベルトを提供する。【解決手段】整形ベルトは被吸収性材料で作られた細長状のベルトボディと、ベルトボディにおける貫通穴と、ベルトボディの少なくとも片側に設置される尖り歯とを含む。尖り歯は縦断面が鈍角三角形の斜歯でもよい。整形ベルトは、使用が便利で、固定効果がよく、手術の時間を有効に減少でき、傷口の縮小に役立てるので、顔面の引上げ用と好適に使用される。【選択図】図１
0003148065.tif 000002
【実用新案登録請求の範囲】
【請求項１】
細長状のベルトボディ（１）を含む整形手術用の整形ベルトにおいて、前記ベルトボディ（１）に複数の貫通穴（２）が設けられ、ベルトボディ（１）の少なくとも片側には複数の突出している尖り歯（３）を備えることを特徴とする整形ベルト。
【請求項２】
前記貫通穴（２）が、多角形、円形及び楕円形のうちの１つであることを特徴とする請求項１に記載の整形ベルト。
【請求項３】
前記尖り歯（３）が、ベルトボディ（１）の貫通穴（２）の径方向の片側または両側に設けられていることを特徴とする請求項１に記載の整形ベルト。
【請求項４】
前記尖り歯（３）が、ベルトボディ（１）の貫通穴（２）の軸方向の片側または両側に設けられていることを特徴とする請求項１に記載の整形ベルト。
【請求項５】
前記尖り歯（３）と貫通穴（２）が千鳥状に分布されていることを特徴とする請求項４に記載の整形ベルト。
【請求項６】
前記尖り歯（３）が、ベルトボディ（１）の貫通穴（２）の軸方向の片側または両側、及び貫通穴（２）の径方向の片側または両側に設けられていることを特徴とする請求項１に記載の整形ベルト。
【請求項７】
前記ベルトボディ（１）は、幅が０．７〜５．０ｍｍであり、長さが３０〜２２０ｍｍであることを特徴とする請求項１〜６のいずれかに記載の整形ベルト。
【請求項８】
前記貫通穴（２）の内径または内接円の直径が０．３〜２.０ｍｍであることを特徴とす
る請求項２に記載の整形ベルト。
【請求項９】
前記尖り歯（３）の長さが０．５〜４．０ｍｍであることを特徴とする請求項８に記載の整形ベルト。
【請求項１０】
前記尖り歯（３）は縦断面が鈍角三角形の斜歯であり、斜歯がベルトボディ（１）の長手方向に沿って二つの部分に分かれ、各部分の斜歯の傾斜方向が一致しており、二つ部分の斜歯の傾斜方向が対向していることを特徴とする請求項１に記載の整形ベルト。
【請求項１１】
前記斜歯とベルト面（１）との傾斜角が１０°〜８９°であることを特徴とする請求項１または１０に記載の整形ベルト。
【請求項１２】
前記斜歯とベルト面（１）との傾斜角が４５°〜７５°であることを特徴とする請求項１１に記載の整形ベルト。
【請求項１３】
前記斜歯の長さが０．３〜５ｍｍであることを特徴とする請求項１２に記載の整形ベルト。
【請求項１４】
前記斜歯は少なくとも１列があり、ベルトボディ（１）の長手方向に沿って配列されることを特徴とする請求項１３に記載の整形ベルト。
【請求項１５】
前記斜歯は２列があり、２列の尖り歯（３）がベルトボディの幅方向に沿って並行して設けられることを特徴とする請求項１４に記載の整形ベルト。
【請求項１６】
前記細長状のベルトボディ（１）は、矩形またはチェーン状であり、幅が１〜１２ｍｍで、厚さが０．２〜３ｍｍで、全長が５０〜３００ｍｍであることを特徴とする請求項１０に記載の整形ベルト。
【請求項１７】
前記細長状のベルトボディ（１）は、広ベルトと狭ベルトとの二つ部分があり、ベルトボディ（１）の二つ部分の斜歯がそれぞれ広ベルトの部分と狭ベルトの部分に位置されていることを特徴とする請求項１０に記載の整形ベルト。
【請求項１８】
前記広ベルト部分の幅が１〜１２ｍｍで、狭ベルト部分の幅が１〜１０ｍｍであって、且つ、広ベルト部分の幅が狭ベルト部分の幅より広いであることを特徴とする請求項１７に記載の整形ベルト。
【考案の詳細な説明】
【技術分野】
【０００１】
本考案は、整形手術材料に関し、特に被吸収性材料で作られ、整形手術に使われる整形ベルトに関する。
【背景技術】
【０００２】
顔面輪郭整形は、医学美容界の発展に伴って根本的な進歩があり、その観念、技術において従来とは大きな違いがある。まず、手術観念上については、従来のような単純に病気を治療することから、美容を追求するための手術に変わってきた上に、手術の設計と効果が更に要求されている。それと同時に、手術専用設備の開発は手術技術の進歩の基礎を固め、顔面輪郭整形の手術を従来より更に簡単に、便利にさせ、手術の効果も大きく進歩している。
【０００３】
現在、整形手術では、常に頬、頸、顎の組織を切除したり、引っ張ったりする必要がある。伝統の方法では、外科手術糸を使用しており、手術タイプによって、異なる材料からなる糸が使用される。  
【０００４】
一般的に用いられる顔面整形用ジャギー（jaggies）はポリプロピレン糸で作られ、顔
面整形用ジャギーの歯が小さくて柔らかいから、実際の使用中に皮膚を引上げる力が足りなく、手術後に脱落しやすいとともに、ポリプロピレン糸は生体適合性を有するものでないため、手術後に合併症が発生しやすい。  
【０００５】
整形手術ではシリカゲル弾性糸を使用して、顔面を引上げることもある。しかし、シリカゲル弾性糸が人体組織に入った初期はぴんと張る感じがあるが、時間が経つと、弾性が消え、原状に戻り、引上げ効果が出なくなるため、手術が失敗してしまう。その上、シリカゲルは分解できないもので、人体に吸収されないため、患者は手術後に異物感があり、心理的な負担が増加する。
【０００６】
以上のような二種類の製品はともに円柱形であり、組織が結締組織増生を形成してから、全体が脱落するため、皮膚を固めることができない。もし、上部で結び目をつくるなら、患者が結節を触って感じられる。その以外に、切開する方法もあるが、手術のダメージも、副作用も大きいので、患者は受け入れない。
【０００７】
また、手術後、しばしば皮膚減少または弾性喪失、軟部組織垂れにより、顔皺が出てくることもありがちなので、これらの手術糸を使用して満足な手術効果を出しにくい。その原因は、それが現存の位置でしか軟部組織を固定できないため、引上げ効果を出せないことにある。従って、緩んでいる軟部組織と垂れている軟部組織に無効であり、手術後の引上げ効果がよくない。
【考案の開示】
【考案が解決しようとする課題】
【０００８】
本考案は、現存の位置で軟部組織を固定するだけでなく、引上げ効果も上げられる、柔軟性の良い整形手術用の整形ベルトを提供する。
【課題を解決するための手段】
【０００９】
整形手術用の整形ベルトにおいては、細長状のベルトボディを含み、前記ベルトボディに複数の貫通穴が設けられ、ベルトボディの少なくとも片側に複数の突出している尖り歯がある。
【００１０】
前記貫通穴が、多角形、円形または楕円形であり、貫通穴の内径または内接円の直径が０．３〜２．０ｍｍである。
前記尖り歯が、ベルトボディの貫通穴の径方向の片側または両側に設けられている。
【００１１】
前記尖り歯が、ベルトボディの貫通穴の軸方向の片側または両側に設けられ、尖り歯と貫通穴が千鳥状に分布されている。
前記尖り歯が、ベルトボディの貫通穴の軸方向の片側または両側、及び貫通穴の径方向の片側または両側に設けられている。
【００１２】
前記ベルトボディの幅が０．７〜５．０ｍｍで、長さが３０〜２２０ｍｍであり、前記尖り歯の長さが０．５〜５．０ｍｍである。
本考案の整形ベルトは、被吸収性材料で作られ、被吸収性材料とは、例えば、ポリ-L-
乳酸、ポリ-DL-乳酸、ポリグリコール酸、ポリカプロラクトン、ポリパラジオキサノンなど、及びそれらの共重合体、共混合物のような、人体に完全に吸収されることができる材料を指す。
【００１３】
整形ベルトに用いられるポリ-L-乳酸の分子量が１〜８０万、ポリ-ＤＬ-乳酸の分子量
が２〜２００万、L乳酸-DL乳酸共重合体の分子量が２〜２００万、Ｌ−乳酸またはＤＬ−乳酸とグリコール酸との共重合体の分子量が２〜２００万、ポリカプロラクトン、ポリパラジオキサノンの分子量が２〜２００万であり、それらの被吸収性材料がともに市販品で、医用級である。
【００１４】
本考案の整形ベルトは、通常のプラスチック成形法、例えば射出成形または熱圧成形などの成形法で各形状に加工され、成形温度を１１０〜２４０℃とする。
本考案の整形ベルトは、頬、頸、顎の整形手術に用いられ、元の位置で軟部組織を固定するだけでなく、引上げ効果も果たせる。また、手術の切り口が小さく、操作も簡単で、安全である。軟部組織の引上げに対し、美観の角度で引上げの高さを調整することができる。さらに、多くの特別な尖り歯により、軟部組織を滑らせないことを確保する。整形ベルトは被吸収性材料から作られ、軟部組織が固定されると、整形ベルトの働きが完成され、それから、徐々に分解しつつ、人体に吸収される。
【００１５】
本考案のより一層の改善としては、前記尖り歯は縦断面が鈍角三角形の斜歯であり、ベルトボディに設置された斜歯が長手方向の左右二つ部分に沿って配置され、各部分の斜歯の傾斜方向が一致し、且つ左右二つ部分の斜歯の傾斜方向が対向している。
【００１６】
前記ベルトボディの斜歯とベルト面との傾斜角が１０°〜８９°である。
前記斜歯とベルト面との傾斜角は、４５°〜７５°であることが好ましい。
前記斜歯の歯先の長さが０．３〜５ｍである。
【００１７】
本考案のベルトボディにおける斜歯は、少なくとも２列がベルトボディの幅方向に沿って並列して設けられてもよい。斜歯が均一にベルトボディに分布されている。
前記細長状のベルトボディは矩形、チェーン形またはその他の形でよく、長手方向に沿って左右に斜歯が対向して分布されている。また、広ベルトと狭ベルトとの二つ部分に分かれ、ベルトボディの左右二つ部分の斜歯がそれぞれ広ベルトと狭ベルトに位置されてもよい。広ベルト部分の幅が１〜１２ｍｍで、狭ベルト部分の幅が１〜１０ｍｍであり、且つ広ベルト部分の幅が狭ベルト部分の幅より広い。
【００１８】
前記細長状のベルトボディの厚さが０．２〜３ｍｍで、全長が５０〜３００ｍｍである。
整形ベルトの人体組織への一端には、後ろに傾ける斜歯が設置されているため、整形ベルトがより組織に入りやすくなる。斜歯を皮膚に引っ掛けて組織を引っ張って、脱落しにくくなるように、傾斜角度は４５°〜７５°であることが好ましい。また、対向する斜歯があるため、ベルトボディの両端を共に皮下組織に引っ掛けることにより、よりよい引上げ効果を保証する。なお、圧力が均一に分布しているため、テンションバランスを広い領域まで至ることにより、軟部組織を固めることができる。従って、手術時間を減少し、傷口の縮小に助ける。さらに、最大の固定強度が得られるとともに、力が維持され、保持時間が長くなる。
【考案を実施するための最良の形態】
【００１９】
実施例1
図１に示すように、本実施例の整形ベルトは、細長状のベルトボディ１を含み、ベルトボディ１に複数の貫通穴２が設置されている。また、ベルトボディ１には２列の尖り歯３が設けられ、１列がベルトボディ１の貫通穴２の軸方向側に設けられ、且つ貫通穴２と千鳥状に分布されている一方、他の１列がベルトボディ１の貫通穴２の径方向側に設けられている。
【００２０】
図１における整形ベルトの材料は、L乳酸-DL乳酸共重合体を使用し、その分子量が１５０万である。整形ベルトは、熱圧温度１８５℃で、熱圧成形により得られ、整形ベルトの貫通穴２の直径が１．３ｍｍ、整形ベルトの幅が２．７ｍｍ、整形ベルトの長さが１６０ｍｍ、整形ベルトの尖り歯の長さが２．０ｍｍである。
【００２１】
実施例２
図２に示すように、本実施例の整形ベルトの尖り歯３がベルトボディ１の両側に均一に配列され、ベルトボディ１は全体的にまたは局部的に尖り歯３が設けられてもよい。貫通穴２は円形である。図２において、尖り歯３がベルトボディ１の貫通穴２の径方向の両側に設けられている。
【００２２】
図２における整形ベルトの材料はポリ-DL-乳酸を用い、分子量が100万である。整形ベ
ルトは、射出成形温度２００℃で、常用の成形機金型により成形され、整形ベルトの貫通穴２の直径が１ｍｍ、整形ベルトの幅が２.５ｍｍ、整形ベルトの長さが１５０ｍｍ、整
形ベルトの尖り歯の長さが１.５ｍｍである。
【００２３】
実施例３
本実施例の整形ベルトは、ポリ-D-乳酸を用い、且つワンショット射出成形プロセスに
より製造される。
【００２４】
手術の時、耳後ろの生え際からの１０ｍｍのところで、左右計４個１０〜１８ｍｍの傷口を取り、剥離器を用い、顔面の皮膚に入れて剥離してから、整形ベルトを入れ、そして、ベルトボディ１の一端の斜歯をＳＭＡＳ筋膜層に引っ掛けて、顔面の弛んだ皮膚を理想的な位置まで引いた後、ベルト１の他端の斜歯を皮膚に引っ掛けて固定させることで、本考案の顔面引上げの目的を実現する。最後に続きの手術処理を行えばよい。６〜１２ヶ月を経た後、被吸収性材料で作られたベルトボディ１が人体自らに解けられて、分解して吸収される。このとき、顔面の軟部組織は位置ずれた後、改めてＳＭＡＳ筋膜に生まれることになり、顔面引上げの効果を果たす。
【００２５】
図３に示すように、整形ベルトは被吸収性材料で作られた細長状のベルトボディ１と、ベルトボディ１における貫通穴２と、ベルトボディ１の片側に設けられている斜歯３とを含む。
【００２６】
前記ベルトボディ１は広ベルトと狭ベルトとの二つ部分に分かれる。広ベルト部分の幅が１０ｍｍ、狭ベルト部分の幅が６ｍｍ、厚さが０．５ｍｍ、全長が１５０ｍｍである。
細長状のベルトボディ１には楕円形の貫通穴２が均一に設置されており、斜歯３が各楕円形貫通穴の間に設けられている。
【００２７】
図４に示すように、斜歯３が二つ部分に分かれる。ベルトボディ１の左側部分の斜歯３は均一に分布され、かつともにベルトボディ１の右側方向に傾斜している。それと同様に、ベルトボディ１の右側部分の斜歯３も均一に分布され、かつともにベルトボディ１の左側方向に傾斜している。二つ部分の斜歯の傾斜方向が対向している。
【００２８】
斜歯３の縦断面は、図５に示されるように、鈍角三角形となり、斜歯の歯先の長さが２ｍｍ、斜歯３とベルトボディとの傾斜角５が３０°である。
手術の時、ベルトボディ１の狭ベルト部分の斜歯をＳＭＡＳ筋膜層に引っ掛けておき、顔面の弛んだ皮膚を理想的な位置まで引いた後、広ベルト部分の斜歯を皮膚に引っ掛けて固定させる。
【００２９】
実施例４
図６に示すように、本考案の整形ベルトは、被吸収性材料で作られた細長状のベルトボディ１と、ベルトボディ１における貫通穴２と、ベルトボディの片側に設置されている斜歯３とを含む。
【００３０】
前記細長状のベルトボディ１はチェーン状を有し、幅が５ｍｍ、厚さが０．６ｍｍ、全長が１８０ｍｍである。
細長状のベルトボディ１に円形の貫通穴２が均一に設置され、斜歯３が各円形貫通穴の間に設置されている。
【００３１】
ベルトボディ１は広ベルトと狭ベルトとの二つ部分に分かれる。ベルトボディ１の左側部分の斜歯３が均一に分布され、且つともにベルトボディ１の右側方向に傾斜している。それと同様に、ベルトボディ１の右側部分の斜歯３も均一に分布され、且つともにベルトボディ１の左側方向に傾斜している。二つ部分の斜歯の傾斜方向が対向している。
【図面の簡単な説明】
【００３２】
【図１】本考案の整形ベルトの構成を示す図。
【図２】本考案の整形ベルトの第２の実施形態の構成を示す図。
【図３】本考案の整形ベルトの第３実施形態の構成を示す図。
【図４】図３における整形ベルトの側面図。
【図５】図４における斜歯のＡ部分の拡大図。
【図６】本考案の整形ベルトの第４の実施形態の構成を示す図。
【図１】
0003148065.tif 000003
【図２】
0003148065.tif 000004
【図３】
0003148065.tif 000005
【図４】
0003148065.tif 000006
【図５】
0003148065.tif 000007
【図６】
0003148065.tif 000008